(57)【特許請求の範囲】
【請求項１】
無線電話機およびサーバを含むシステムであって、
（ａ）  前記無線電話機は、
（１）  スピーカと、
（２）  マイクロホンと、
を含み、そして
（ｂ）  前記無線電話機は、
（１）  インターネット、イントラネット、又はエクストラネットのアドレスを持つマイクロブラウザ又はマイクロクライアントのソフトウェアと、
（２）  前記マイクロブラウザ又はマイクロクライアントのソフトウェアのための音声コーデック（ＣＯＤＥＣ）管理ソフトウェアと、
（３）  現実又は仮想のプッシュツートーク（ＰＴＴ）釦と、
（４）  前記ＰＴＴ釦の押下に応じて、
（Ａ）  前記音声コーデック管理ソフトウェアを通して前記マイクロホンから発信するストリーミング音声データメッセージと、
（Ｂ）  ＰＴＴ釦が押下されたことを示す信号と、
を送る手段と、
（５）  前記ＰＴＴ釦の開放に応じて、前記スピーカへ、前記音声コーデック管理ソフトウェアを通して、着信するストリーミング音声データメッセージを送る手段と、
を含むことを特徴とし、そして
（ｃ）  前記サーバは、
（１）  無線電話機においてＰＴＴ釦が押下されたことを示す信号を、インターネット、イントラネット、又はエクストラネットのアドレスで受信する手段と、
（２）  1つより多い無線電話機がＰＴＴ釦が押下されたことを示しているのかどうか、を決定する手段と、
（３）  どの無線電話機が前記サーバにストリーミング音声データメッセージを配置することを許可されるのか、を裁定する手段と、
（４）  裁定された無線電話機を選択する手段と、
（５）  前記裁定された無線電話機から前記サーバに、ストリーミング音声データメッセージを配置する手段と、
（６）  インターネット、イントラネット、又はエクストラネットのアドレスで、無線電話機に、前記置かれたストリーミング音声データメッセージを送る手段と、
を含むことを特徴とする、
システム。
【請求項２】
インターネット、イントラネット、又はエクストラネットのサーバであって、
（ａ）  前記インターネット、イントラネット、又はエクストラネットのサーバは、複数のインターネット、又はイントラネット若しくはエクストラネットのアドレスを蓄積する手段、を含み、そして
（ｂ）  前記サーバは、
（１）  前記複数のインターネット、又はイントラネット若しくはエクストラネットのアドレスの各アドレスで、プッシュツートーク（ＰＴＴ）釦が無線電話機で押下されたことを示す信号を、受信する手段と、
（２）  １つより多い無線電話機がＰＴＴ釦が押下されたことを示しているのかどうか、を決定する手段と、
（３）  ＰＴＴ釦が押下されたことを示す１つより多い無線電話機に応じて、どの無線電話機が、前記サーバ上にストリーミング音声データメッセージを配置することを許可されるのかを裁定する手段と、
（４）  前記裁定された無線電話機から又は単独の無線電話機から前記サーバ上にストリーミング音声データメッセージを配置する手段と、
（５）  前記複数のインターネット、又はイントラネット若しくはエクストラネットのアドレスの他のアドレスで、前記配置されたデータを前記無線電話機へ送る手段と、
（６）  無線電話機及び通信網に組込まれたコンピュータを会議に動的に招集する手段と、
を含むことを特徴とする、
インターネット、イントラネット、又はエクストラネットのサーバ。
【請求項３】
システムであって、
（ａ）  前記システムは、１番目の無線電話機、２番目の無線電話機又は通信網に組込まれたコンピュータ、１番目の基地局、２番目の基地局、及び、インターネット、イントラネット、又はエクストラネットのサーバ、を含み、
（ｂ）  各無線電話機は、
（１）  スピーカ、及び
（２）  マイクロホン
を含み、
（ｃ）  前記１番目の無線電話機は、１番目の基地局を用いて無線通信をしており、
（ｄ）  前記１番目の基地局は、前記サーバを用いて、前記インターネット、イントラネット、又はエクストラネットを通して、通信をしており、
（ｅ）  前記２番目の無線電話機は、２番目の基地局を用いて無線通信をしており、
（ｆ）  前記２番目の基地局又は通信網に組込まれたコンピュータは、前記サーバを用いて、前記インターネット、イントラネット、又はエクストラネットを通して、通信をしており、
（ｇ）  前記サーバは、複数のインターネット、又はイントラネット若しくはエクストラネットのアドレスを蓄積する手段を含み、
（ｈ）  各無線電話機は、
（１）  インターネット、イントラネット、又はエクストラネットのアドレスを持つマイクロブラウザ又はマイクロクライエントのソフトウェア、
（２）  前記マイクロブラウザ又はマイクロクライエントのソフトウェアのための音声コーデック（ＣＯＤＥＣ）管理ソフトウェア、
（３）  実在又は仮想のプッシュツートーク（ＰＴＴ）釦、
（４）  前記ＰＴＴ釦の押下に応じて、
（Ａ）  前記音声コーデック管理ソフトウェアを通して前記マイクロホンから発信するストリーミング音声データメッセージと、
（Ｂ）  前記ＰＴＴ釦が押下されたことを示す信号と、
を送る手段、及び
（５）  前記ＰＴＴ釦の解放に応じて、前記スピーカへ、前記音声コーデック管理ソフトウェアを通して、着信するストリーミング音声データメッセージを送る手段、
を含むことを特徴とし、そして
（ｉ）  前記サーバは、
（１）  前記複数のインターネット、又はイントラネット若しくはエクストラネットのアドレスの各アドレスで、プッシュツートーク（ＰＴＴ）釦が無線電話機で押下されたことを示す信号を受信する手段、
（２）  １つより多い無線電話機がＰＴＴ釦が押下されたことを示しているのかどうか、を決定する手段、
（３）  ＰＴＴ釦が押下されたことを示している１つより多い無線電話機に応じて、どの無線電話機が、前記サーバ上にストリーミング音声データメッセージを配置することを許可されるのかを裁定する手段、
（４）  前記裁定された無線電話機から又は単独の無線電話機から前記サーバ上にストリーミング音声データメッセージを配置する手段、
（５）  前記複数のインターネット、又はイントラネット若しくはエクストラネットのアドレスの他のアドレスで、前記置かれたデータを、前記無線電話機へ送る手段、及び
（６）  無線電話機及び通信網に組込まれたコンピュータを会議に動的に招集する手段、
を含むことを特徴とする、
システム。
【請求項４】
前記１番目の基地局は、前記２番目の基地局と同一である、ことを更に特徴とする請求項３のシステム。
【請求項５】
前記１番目の基地局は、前記２番目の基地局と相違する、ことを更に特徴とする請求項３のシステム。
【請求項６】
前記サーバは、無線電話機からの要請で、その無線電話機のアドレスを付加し、又は除去するように形成される、ことを更に特徴とする請求項３のシステム。
【請求項７】
前記サーバは、無線電話機とは別の装置からの要請で、その無線電話機のアドレスを付加し、又は除去するように形成される、ことを更に特徴とする請求項３のシステム。
【請求項８】
前記サーバは、無線電話機からの要請で、１つ又はそれより多いストリーミング音声データメッセージを蓄積するように、そしてその次の要請で、それらを前記無線電話機へ転送するように形成される、ことを更に特徴とする請求項３のシステム。
【請求項９】
前記システムは、更に、無線電話機ではなく、無線電話機をエミュレートするように構成され、そして前記サーバに接続された、少なくとも１つの更なる装置を含む、ことを更に特徴とする請求項３のシステム。
【請求項１０】
前記サーバは、２番目の装置からの要請で、無線電話機又は１番目の装置のアドレスを付加し、又は除去するように形成される、ことを更に特徴とする請求項９のシステム。
【請求項１１】
無線電話機およびサーバを含むシステムを操作する方法であって、
（ａ）  前記無線電話機は、
（１）  スピーカ、及び
（２）  マイクロホン
を含み、
（ｂ）  前記無線電話機は、
（１）  インターネット、イントラネット、又はエクストラネットのアドレスを持つマイクロブラウザ又はマイクロクライアントのソフトウェア、
（２）  前記マイクロブラウザ又はマイクロクライアントのソフトウェアのための音声コーデック（ＣＯＤＥＣ）管理ソフトウェア、及び
（３）  現実又は仮想のプッシュツートーク（ＰＴＴ）釦、
を含むことを特徴とし、そして
（ｃ）  前記方法は、
（１）  前記無線電話機で前記ＰＴＴ釦を押下すること、
（２）  前記ＰＴＴ釦の押下に応じて、
（Ａ）  前記音声コーデック管理ソフトウェアを通して前記マイクロホンから発信するストリーミング音声データメッセージと、
（Ｂ）  前記ＰＴＴ釦が押下されたことを示す信号と、
を送ること、
（３）  前記ＰＴＴ釦を解放すること、
（４）  前記ＰＴＴ釦の解放に応じて、前記スピーカへ、前記音声コーデック管理ソフトウェアを通して、着信するストリーミング音声データメッセージを送ること、
（５）  無線電話機においてＰＴＴ釦が押下されたことを示す信号を、各インターネット、イントラネット、又はエクストラネットのアドレスで受信すること、
（６）  1つより多い無線電話機がＰＴＴ釦が押下されたことを示しているのかどうか、を決定すること、
（７）  どの無線電話機が前記サーバにストリーミング音声データメッセージを配置することを許可されるのかを裁定すること、
（８）  裁定された無線電話機を選択すること、
（９）  前記裁定された無線電話機から前記サーバにストリーミング音声データメッセージを配置すること、及び、
（１０）  前記置かれたストリーミング音声データメッセージを、前記インターネット、イントラネット、又はエクストラネットのアドレスで無線電話機に送ること、
を含むことを特徴とする、
無線電話機およびサーバを含むシステムを操作する方法。
【請求項１２】
インターネット、イントラネット、又はエクストラネットのサーバを操作する方法であって、
（ａ）  前記方法は、複数のインターネット、イントラネット、又はエクストラネットのアドレスを蓄積することを含み、そして
（ｂ）  前記方法は、更に、
（１）  前記複数のインターネット、又はイントラネット若しくはエクストラネットのアドレスの各アドレスで、プッシュツートーク（ＰＴＴ）釦が無線電話機で押下されたことを示す信号を、受信すること、
（２）  １つより多い無線電話機がＰＴＴ釦が押下されたことを示しているのかどうか、を決定すること、
（３）  １つより多い無線電話機がＰＴＴ釦が押下されたことを示している場合は、どの無線電話機が、サーバ上にストリーミング音声データメッセージを配置することを許可されるのかを、裁定すること、
（４）  前記裁定された無線電話機から又は単独の無線電話機から前記サーバ上にストリーミング音声データメッセージを配置すること、
（５）  前記置かれたストリーミング音声データメッセージを、前記複数のインターネット、又はイントラネット若しくはエクストラネットのアドレスの他のアドレスで、前記無線電話機へ送ること、そして
（６）  無線電話機及び通信網に組込まれたコンピュータを会議に動的に招集すること、
含むことを特徴とする、
インターネット、イントラネット、又はエクストラネットのサーバを操作する方法。
【請求項１３】
システムを操作する方法であって、
（ａ）  前記システムは、１番目の無線電話機、２番目の無線電話機、１番目の基地局、２番目の基地局、及びインターネット、イントラネット、又はエクストラネットのサーバを含み、
（ｂ）  各無線電話機は、
（１）  スピーカ、及び
（２）  マイクロホン、
を含み、
（ｃ）  前記１番目の無線電話機は、１番目の基地局を用いて、無線通信をしており、
（ｄ）  前記１番目の基地局は、前記サーバを用いて、前記インターネット、イントラネット、又はエクストラネットを通して、通信をしており、
（ｅ）  前記２番目の無線電話機は、２番目の基地局を用いて、無線通信をしており、
（ｆ）  前記２番目の基地局は、前記サーバを用いて、インターネット、イントラネット、又はエクストラネットを通して、通信をしており、
（ｇ）  前記サーバは、複数のインターネット、又はイントラネット若しくはエクストラネットのアドレスを蓄積する手段を含み、
（ｈ）  各無線電話機は、
（１）  インターネット、イントラネット、又はエクストラネットのアドレスを持つマイクロブラウザ又はマイクロクライアントのソフトウェア、
（２）  前記マイクロブラウザ又はマイクロクライアントのソフトウェアのための音声コーデック（ＣＯＤＥＣ）管理ソフトウェア、及び
（３）  現実又は仮想のプッシュツートーク（ＰＴＴ）釦、
を含むことを特徴とし、そして
（ｉ）  前記方法は、
（１）  前記１番目の無線電話機上で前記ＰＴＴ釦を押下すること、
（２）  前記ＰＴＴ釦の押下に応じて、前記第1の基地局へ、前記１番目の無線電話機が、
（Ａ）  前記音声コーデック管理ソフトウェアを通して前記マイクロホンから発信するストリーミング音声データメッセージと、
（Ｂ）  前記ＰＴＴ釦が押下されたことを示す信号と、
を送ること、
（３）  前記１番目の基地局が前記サーバへ、前記ＰＴＴ釦が前記１番目の無線電話機で押下されたことを示す信号を送ること、
（４）  １つより多い無線電話機が、ＰＴＴ釦が押下されたことを示している場合は、前記サーバが、どの無線電話機が前記サーバ上にストリーミング音声データメッセージを配置することを許可されるのかを裁定すること、
（５）  前記裁定された無線電話機から又は単独の無線電話機から前記サーバ上に、ストリーミング音声データメッセージを配置すること、
（６）  前記サーバが、前記２番目の基地局を通して前記置かれたストリーミング音声データメッセージを前記２番目の無線電話機へ送ること、
（７）  前記ＰＴＴ釦の解放に応じて、前記スピーカへ、前記２番目の無線電話機が、前記音声コーデック管理ソフトウェアを通して、前記配置されたストリーミング音声データメッセージを送ること、そして
（８）  前記サーバが、もしあるなら前記複数のインターネット、又はイントラネット若しくはエクストラネットのアドレスの他のアドレスで、前記配置されたストリーミング音声データメッセージを、前記無線電話機へ送ること、
を含むことを特徴とする、
システムを操作する方法。
【請求項１４】
前記１番目の基地局は、前記２番目の基地局と同一であること、を更に特徴とする請求項１３の方法。
【請求項１５】
前記１番目の基地局は、前記２番目の基地局と相違すること、を更に特徴とする請求項１３の方法。
【請求項１６】
前記方法は、更に、無線電話機からの要請で、その無線電話機のアドレスを付加し、又は除去することを含む、ことを更に特徴とする請求項１３の方法。
【請求項１７】
前記方法は、更に、無線電話機とは別の装置からの要請で、その無線電話機のアドレスを付加し、又は除去することを含む、ことを更に特徴とする請求項１３の方法。
【請求項１８】
前記方法は、更に、前記サーバが、無線電話機からの要請で、１つ又はそれより多いストリーミング音声データメッセージを蓄積し、そしてその次の要請で、それらを前記無線電話機へ転送することを含む、ことを更に特徴とする請求項１３の方法。
【請求項１９】
前記システムは、更に、無線電話機ではなく、無線電話機をエミュレートするように構成され、かつ前記サーバに接続された、少なくとも１つの更なる装置を含む、ことを更に特徴とする請求項１３の方法。
【請求項２０】
（ａ）  前記サーバは、２番目の装置からの要請で、無線電話機又は１番目の装置のアドレスを付加し、又は除去するように形成され、そして
前記方法は、前記２番目の装置で、前記無線電話機又は１番目の装置を表すアバターをクリックすることを含む、
ことを更に特徴とする請求項１９の方法。
【請求項２１】
無線電話機を備えるシステムであって、
（ａ）  前記無線電話機は、
（１）  スピーカと、
（２）  マイクロホンと、
を含み、そして
（ｂ）  前記無線電話機は、
（１）  インターネット、イントラネット、又はエクストラネットのアドレスを持つマイクロブラウザ又はマイクロクライアントのソフトウェアと、
（２）  前記マイクロブラウザ又はマイクロクライアントのソフトウェアのための音声コーデック（ＣＯＤＥＣ）管理ソフトウェアと、
（３）  現実又は仮想のプッシュツートーク（ＰＴＴ）釦と、
（４）  前記ＰＴＴ釦の押下に応じて、
（Ａ）  前記音声コーデック管理ソフトウェアを通して前記マイクロホンから発信するストリーミング音声データメッセージと、
（Ｂ）  ＰＴＴ釦が押下されたことを、サーバに示す信号と、
を送る手段と、
（５）  前記無線電話機がストリーミング音声データメッセージを送ることを許可されたという裁定を示す信号を、前記サーバから、受信する手段と、
（６）  前記音声コーデック管理ソフトウェアを通して、ストリーミング音声データメッセージを送る手段と、
を備え、
（７）  前記送る手段は、インターネット、イントラネット、又はエクストラネットのアドレスを介して送る、
ことを特徴とする、
無線電話機を備えるシステム。
【請求項２２】
前記サーバは、無線電話機からの要請で、その無線電話機のアドレスを付加し、又は除去するように形成される、ことを更に特徴とする請求項２１のシステム。
【請求項２３】
前記サーバは、無線電話機とは別の装置からの要請で、その無線電話機のアドレスを付加し、又は除去するように形成される、ことを更に特徴とする請求項３のシステム。
【発明の詳細な説明】
【０００１】
発明の背景
技術の分野
本発明は、無線通信に関し、インターネット（Ｉｎｔｅｒｎｅｔ）又はイントラネット（Ｉｎｔｒａｎｅｔ）若しくはエクストラネット（Ｅｘｔｒａｎｅｔ）を介する無線電話機への、又は無線電話機からの音声放送に特定の関係を持つ。
【０００２】
背景となる技術
従来のプッシュツートーク（ｐｕｓｈ‐ｔｏ‐ｔａｌｋ）（ＰＴＴ）通信システムは、全てが同一のチャンネル、即ち同一の周波数に同調された、数個のトランシーバを持つ。話をしたいと思う任意のユーザが、マイクロホン上の釦を押すと、トランシーバに送信させる。釦を解放すると、トランシーバに受信させる。どのユーザが送信することを次に許されるかを決定する或る方法があるならば、任意の数のユーザは、同一の周波数を共有し得る。
【０００３】
電話中継回線ラジオ（ｔｒｕｎｋｅｄ  ｒａｄｉｏ）は、この技術を一つ向上したものである。共通の物理的チャンネルを共有する代りに、ユーザは、共通の論理的チャンネルを共有する。会話を開始したいと思うユーザは、このような開始を要請する信号を放送する。コントローラは、物理的チャンネルを配置する信号‐‐全ての他のユーザも同様に受信し得る信号を放送し返す（ｂｒｏａｄｃａｓｔ  ｂａｃｋ）。全ユーザは、そこで、配置された周波数に再同調し、そして会話は、前と同じように継続する。会話に中断があるときには、いつでもコントローラは、新しい物理的チャンネル配置を放送し得る。このような再配置は、トラフィックパターン、信号品質、等によって要求され得る。
【０００４】
“電話中継回線”ラジオは、遠隔都市間の電話幹線（ｔｅｌｅｐｈｏｎｅ  ｔｒｕｎｋ  ｌｉｎｅ）からその名を得ている。或る都市の電話機ユーザは、通常、毎日のごとく、他の都市の電話機ユーザへの呼を規則的に生起する。そうするときは、電話機ユーザは、その地方の電話会社の電話局（ｏｆｆｉｃｅ）へのローカルループ上に呼を生起し、その電話局は、他の都市の電話会社の電話局への幹線上に呼を生起し、その電話局は、２番目のユーザへのローカルループ上に呼を生起する。毎日、同一の都市間幹線が割当てられることは、期待されていない。実際、電話会社は、どちらのローカルループも変更することなく、（多分、呼が中断している間に）呼の中途で幹線を変更し得る。
【０００５】
電話中継回線ラジオは、通常呼（２つのユーザ）で動作するのと同じように、上手く（又は、下手に）会議呼（２つより多いユーザ）で動作する。コントローラは、丁度、物理的チャンネルを配置するように、より多くのことをなし得る。それは、又、どのユーザが放送することを次に許されるかを裁定（ａｒｂｉｔｒａｔｅ）し得る。それは、放送がなされている、事前に選択された群のユーザ達に警報を出し得る。しかしながら、それがなし得ないものは、群の構成を活動的に変更すること、或いは、インターネット、又はイントラネット若しくはエクストラネットの有効性によって動かされる群の地理的サービス範囲を与えることである。
【０００６】
発明の簡単な開示
出願人達は、インターネット、又はイントラネット若しくはエクストラネットを用いて、無線電話サービスを結合することによって、この制限を乗り越えた。無線電話機は、物理的又は仮想的のいずれかの、プッシュツートーク釦の押下に応じて、ユーザの音声をディジタル化する。それは、ディジタル化された音声を、データモードで、基地局へ送出する。基地局は、インターネット、又はイントラネット若しくはエクストラネットを通して、サーバ上にデータを配置する。他の無線電話機は、インターネット、又はイントラネット若しくはエクストラネットを通して、サーバからデータを取戻し、そしてデータをディジタル化された音声へ戻す変換をする。通信網に組込まれたコンピュータ（ｎｅｔｗｏｒｋｅｄ  ｃｏｍｐｕｔｅｒ）は、又、結合された基地局及び無線電話機をエミュレート（ｅｍｕｌａｔｅ）するように形成され得る。サーバは、活動的に任意の無線電話機（又は地上通信線エミュレーション  （ｌａｎｄｌｉｎｅ  ｅｍｕｌａｔｉｏｎ））を放送器として選定し得、そして活動的に任意の組の電話機／エミュレーションを放送の受信器として形成し得る。
【０００７】
好ましい実施形態の詳細な説明
図１は本発明に従う無線電話機（１００）のブロック図である。無線電話機は、スピーカ（１０２）、マイクロホン（１０４）、インターネット、イントラネット、又はエクストラネットの番地（アドレス）を持つマイクロブラウザ又はマイクロクライアントのソフトウェア（１０６）、マイクロブラウザ又はマイクロクライアントのソフトウェアの音声コーデック（ＣＯＤＥＣ）管理ソフトウェア（１０８）、及び実在又は仮想のプッシュツートーク（ＰＴＴ）釦（１１０）を含む。それは、又、音声コーデック管理ソフトウェアを通して、マイクロホンから発信（ｏｕｔｇｏｉｎｇ）する流れている（ｓｔｒｅａｍｉｎｇ）音声データメッセージ（ＳＶＤＭ）、及びＰＴＴ釦の押下に応じて、ＰＴＴ釦が押下されたことの表示、を送出するための手段（１１２）を含む。それは、更に、ＰＴＴ釦の解放に応じて、音声コーデック管理ソフトウェアを通して、スピーカへ着信（ｉｎｃｏｍｉｎｇ）する流れている音声データメッセージを送出するための手段（１１４）を含む。
【０００８】
図２は、本発明に従うインターネット、イントラネット、又はエクストラネットサーバ（２００）のブロック図である。インターネット、イントラネット、又はエクストラネットのサーバは、複数のインターネット、イントラネット、又はエクストラネットの番地を蓄積するための手段（２０２）を含む。この蓄積手段は、呼が進行中の間も呼が生起しない時も両方とも、番地の付加及び削除を受入れ得る。かくして、それは、無線電話機を会議に活動的に招集（ｇｒｏｕｐ）する能力を与える。通信網に組込まれたコンピュータ（３１４、図３を見られたい）は、幾つかの無線電話機の代用をし得る。
【０００９】
サーバ（２００）は、又、各インターネット、イントラネット、又はエクストラネットの番地において、プッシュツートーク（ＰＴＴ）釦が、無線電話機で押下されたことの表示を受信（２０４）するための手段を含む。それは、又、１つより多い無線電話機が、押下されたＰＴＴ釦表示を持っているかどうかを決定  （２０６）するための手段、及び押下されたＰＴＴ釦表示を持つ１つより多い無線電話機に応じて、どの無線電話機が、サーバ上に流れている音声データメッセージを配置することを許容されるかを裁定（２０８）するための手段を含む。一旦、裁定された無線電話機（又は、もし、押下されたＰＴＴ釦を持つものが１つのみならば、単独の無線電話機）が選択されてしまうと、サーバは、裁定された無線電話機から又は単独の無線電話機からサーバ上に流れている音声データメッセージを配置（２１０）するための手段を含む。それは、又、他のインターネット、イントラネット、又はエクストラネットの番地において、配置されたデータを無線電話機へ送出（２１２）するための手段を含む。図２は、インタフェース（２１６）に接続されたバス（２１４）によって接続されるようなこれらの構成要素を示すが、しかし任意の便利な構成が使用され得る。
【００１０】
図３は、本発明に従うシステム（３００）のブロック図である。システムは、１番目の無線電話機（３０２）、２番目の無線電話機（３０４又は３０６）、１番目の基地局（３０８）、２番目の基地局（３１０）、及びインターネット、イントラネット、又はエクストラネットのサーバ（３１２）を含む。各無線電話機は、図１で説明したとおりである。１番目の無線電話機は、１番目の基地局を用いて無線通信中で、そして１番目の基地局は、インターネット、イントラネット、又はエクストラネットのサーバを用いて、インターネット、イントラネット、又はエクストラネットを通して通信をしている。簡単にするために直接に接続して示す。実際には、数個のルート（ｒｏｕｔｅ）（及び多分他の装置）が、その接続に含まれているだろう。２番目の無線電話機は、２番目の基地局を用いて無線通信をしていて、そして２番目の基地局は、又、インターネット、イントラネット、又はエクストラネットのサーバを用いて、インターネット、イントラネット、又はエクストラネットを通して通信をしている。インターネット、イントラネット、又はエクストラネットのサーバは、図２で説明したとおりである。１番目の基地局は、２番目の基地局（２番目の無線電話機は、電話機＃２（３０４）である）と同一のものか、又は２番目の基地局（２番目の無線電話機は、電話機＃３（３０６）である）と相違するものかであり得る。
【００１１】
インターネット、イントラネット、又はエクストラネットのサーバは、無線電話機から、その無線電話機とは別の装置から、又はその両方からの要請次第、その無線電話機のインターネット、イントラネット、又はエクストラネットの番地を付加し、又は除去するように形成され得る。インターネット、イントラネット、又はエクストラネットのサーバは、無線電話機からの要請次第、１つ又はそれより多い流れている音声データメッセージを蓄積するように、そしてその次の要請次第、それを無線電話機へ転送するように形成され得る。システムは、更に、無線電話機ではなく、無線電話機をエミュレートするように、インターネット、イントラネット、又はエクストラネットのサーバに構成されかつ接続された、少なくとも１つの付加的装置を含み得る。この装置は、好ましくは、マイクロホン及びスピーカを用い、適切なソフトウェアで装荷（ｌｏａｄｅｄ）されたコンピュータ（３１４）であることである。この場合、蓄積及び転送の機構は、スクリーン上に、特定の電話機又はコンピュータのユーザを表すアイコン又はアバター  （ｉｃｏｎ  ｏｒ  ａｖａｔａｒ）を表示するような簡単なものであり得る。このアイコン上をクリックすることは、遠隔ユーザからの全メッセージを転送し、又は特定のメッセージが選択されることを許容する。この機能を注意して使用することは、ユーザが、特に重要であると思われる特定の遠隔ユーザを選択し、そして特に不必要な遠隔ユーザを取り除く（ｆｉｌｔｅｒ  ｏｕｔ）ことを許容する。
【００１２】
図４は、図１の無線電話機を操作するための方法（４００）のフローチャートである。本方法は、ＰＴＴ釦を押下（４０２）し、そしてＰＴＴ釦の押下に応じて、音声コーデック管理ソフトウェア（及びＰＴＴ釦が押下されたことの表示）を通して、マイクロホンから発信する流れている音声データメッセージを送出（４０４）することを含む。それは、又、ＰＴＴ釦を解放（４０６）し、そしてＰＴＴ釦の解放に応じて、音声コーデック管理ソフトウェアを通して、スピーカへ着信する流れている音声データメッセージを送出（４０８）することを含む。
【００１３】
図５は、図２のインターネット、イントラネット、又はエクストラネットのサーバを操作するための方法（５００）のフローチャートである。本方法は、複数のインターネット、イントラネット、又はエクストラネットの番地を蓄積（５０２）し、各インターネット、イントラネット、又はエクストラネットの番地において、プッシュツートーク（ＰＴＴ）釦が、無線電話機で押下されたことの表示を受信（５０４）し、そして１つより多い無線電話機が押下されたＰＴＴ釦表示を持っているかどうかを決定（５０６）することを含む。もし、１つより多い無線電話機が押下されたＰＴＴ釦表示を持っているならば、本方法は、更に、どの無線電話機が、サーバ上に流れている音声データメッセージを配置することを許されるかを裁定（５０８）し、そして裁定された無線電話機からサーバ上に流れている音声データメッセージを配置（５１０）することを含む。もし、押下されたＰＴＴ釦を持つものが１つのみならば、そのときは、それは、その単独の無線電話機からのメッセージを配置することを含む。それは、最終的には、他のインターネット、イントラネット、又はエクストラネットの番地において、配置された流れている音声データメッセージを無線電話機へ送出（５１２）することを含む。
【００１４】
図６は、図３のシステムを操作するための方法（６００）のフローチャートである。１番目の無線電話機上のＰＴＴ釦が押下（６０２）される。１番目の無線電話機は、ＰＴＴ釦の押下に応じて、音声コーデック管理ソフトウェア（及びＰＴＴ釦が押下されたことの表示）を通して、マイクロホンから発信する流れている音声データメッセージを１番目の基地局へ送出（６０４）する。１番目の基地局は、ＰＴＴ釦が１番目の無線電話機で押下されたことの表示をインターネット、イントラネット、又はエクストラネットのサーバへ送出（６０６）する。インターネット、イントラネット、又はエクストラネットのサーバは、もし、１つより多い無線電話機が押下されたＰＴＴ釦表示を持っているならば、どの無線電話機が、サーバ上に流れている音声データメッセージを配置することを許されるかを裁定（６０８）する。流れている音声データメッセージは、裁定された無線電話機から又は単独の無線電話機からサーバ上に配置（６１０）される。サーバは、２番目の基地局を通って、配置された流れている音声データメッセージを２番目の無線電話機へ送出（６１２）する。２番目の無線電話機は、ＰＴＴ釦（６１４）の解放に応じて、音声コーデック管理ソフトウェアを通して、配置された流れている音声データメッセージをスピーカへ送出する。サーバは、もしあれば、他のインターネット、イントラネット、又はエクストラネットの番地で、配置された流れている音声データメッセージを無線電話機へ送出（６１６）する。
【００１５】
前のように、１番目の基地局は、２番目の基地局と同一のものか、又は２番目の基地局と相違するものかであり得る。
【００１６】
図７は、図３のシステムを形成するための方法（７００）のフローチャートである。インターネット、イントラネット、又はエクストラネットのサーバは、無線電話機から、その無線電話機とは別の装置から、又はその両方からの要請（７０６又は７０８）次第、その無線電話機のインターネット、イントラネット、又はエクストラネットの番地を付加（７０２）し、又は除去（７０４）するように形成され得る。
【００１７】
図８は、図３のシステムを使用する蓄積及び転送の方法（８００）のフローチャートである。本方法は、無線電話機からの要請（８０２）次第、１つ又はそれより多い流れている音声データメッセージを蓄積（８０４）し、そしてその次の要請（８０８）次第それを無線電話機へ転送（８０６）することを含み得る。
【００１８】
産業的な応用
我々の発明は、産業上利用でるものであり、インターネット又はイントラネット若しくはエクストラネットを介して、無線電話機への、又は無線電話機からの放送を望むときには、何時でも実施され使用され得る。ここに示された装置及び方法の個々の構成要素は、お互いに別々になって分離されていれば、全く従来のものだろうが、我々が、我々の発明として権利主張するものは、それらの結合である。
【００１９】
我々は、装置及び方法の各種のモードを説明したが、発明の真の精神及び範囲は、これに限定されるものではなく、次に主張する権利及びその均等物によってのみ限定されるものであり、我々は、このような我々の発明の権利を主張するものである。
【図面の簡単な説明】
【図１】  本発明に従う無線電話機（１００）のブロック図である。
【図２】  本発明に従うインターネット、イントラネット、又はエクストラネットサーバ（２００）のブロック図である。
【図３】  本発明に従うシステム（３００）のブロック図である。
【図４】  図１の無線電話機を操作するための方法（４００）のフローチャートである。
【図５】  図２のインターネット、イントラネット、又はエクストラネットのサーバを操作するための方法（５００）のフローチャートである。
【図６】  図３のシステムを操作するための方法（６００）のフローチャートである。
【図７】  図３のシステムを形成するための方法（７００）のフローチャートである。
【図８】  図３のシステムを使用する蓄積及び転送の方法（８００）のフローチャートである。
【符号の説明】
１００…無線電話機  １０２…スピーカ  １０４…マイクロホン  １０６…マイクロブラウザ又はマイクロクライアントのソフトウェア  １０８…音声ＣＯＤＥＣ管理ソフトウェア  １１０…プッシュツートーク（ＰＴＴ）釦  ２００…サーバ
【図１】
0004541563.tif 000002
【図２】
0004541563.tif 000003
【図３】
0004541563.tif 000004
【図４】
0004541563.tif 000005
【図５】
0004541563.tif 000006
【図６】
0004541563.tif 000007
【図７】
0004541563.tif 000008
【図８】
0004541563.tif 000009